(57)【要約】【課題】携帯電話機のメモリ情報のバックアップ／リストアを端末側から簡易に実施することを可能とし、高いセキュリティでシステムの安全性や信頼性を維持できるバックアップシステムを提供する。【解決手段】バックアップは、パソコン等から携帯電話機宛にバックアップ指示メールを送信し、携帯電話機からメモリ情報を含むバックアップ応答メールを受信することにより実現する。リストアは、リストアしたいメモリ情報を付与したリストア指示メールを携帯電話機に送信することにより実現する。何れの場合にも、不正使用を監視する為に、処理受付時に予め携帯電話機内に登録してある送信先に処理内容を送信する。また、指示メールの送信者の妥当性の確認には、メールヘッダに認証情報を付与することにより実現する。【選択図】        図１
2004164037.tif 000002
【特許請求の範囲】
【請求項１】
電子メールにより携帯電話機のメモリ情報を所定の端末にバックアップするバックアップシステムにおいて、
前記端末は、ヘッダ部にバックアップを指示する情報を格納した電子メールをバックアップ指示メールとして前記携帯電話機に送信し、前記携帯電話機は、電子メールの受信時にヘッダ部を解析し、前記バックアップ指示メールであることを検出すると、携帯電話機内のメモリ情報を符号化してメール本文中に書き込んだ電子メールをバックアップ応答メールとして前記端末に送信し、前記端末は、電子メールの受信時にヘッダ部を解析して、前記バックアップ応答メールであることを検出すると、当該バックアップ応答メールのメール本文を復号化してバックアップすることを特徴とするバックアップシステム。
【請求項２】
前記携帯電話機は、バックアップの終了後に当該バックアップに関する情報を予め登録された当該携帯電話機の所有者に関連する通知先に通知することを特徴とする請求項１記載のバックアップシステム。
【請求項３】
前記バックアップ指示メールのヘッダ部には、特定のヘッダ情報を所定アルゴリズムにより演算した結果を個人識別情報とする端末側の利用者の認証情報を含み、前記携帯電話機は、前記バックアップ指示メールの受信時に当該メールの前記特定のヘッダ情報と所定アルゴリズムとによる演算結果とから利用者の本人確認を行うことを特徴とする請求項１記載のバックアップシステム。
【請求項４】
前記端末は、バックアップスケジュールテーブルを有し、前記バックアップスケジュールテーブルに従い自動的に前記バックアップ指示メールを携帯電話機に送信することを特徴とする請求項１、２又は３記載のバックアップシステム。
【請求項５】
電子メールにより携帯電話機のメモリ情報を所定の端末からリストアするバックアップシステムにおいて、
前記端末は、ヘッダ部にリストアを指示する情報を格納するとともに、メール本文中にリストアするメモリ情報を符号化して書き込んだ電子メールをリストア指示メールとして前記携帯電話機に送信し、前記携帯電話機は、電子メールの受信時にヘッダ部を解析し、リストア指示メールであることを検出すると、リストア指示メールのメール本文を復号化してリストアすることを特徴とするバックアップシステム。
【請求項６】
前記携帯電話機は、リストアの終了後に当該リストアに関する情報を予め登録された当該携帯電話機の所有者に関連する通知先に通知することを特徴とする請求項５記載のバックアップシステム。
【請求項７】
前記リストア指示メールのヘッダ部には、特定のヘッダ情報を所定アルゴリズムにより演算した結果を個人識別情報とする端末側の利用者の認証情報を含み、前記携帯電話機は、前記リストア指示メールの受信時に前記リストア指示メールの受信時に当該メールの前記特定のヘッダ情報と所定アルゴリズムとによる演算結果とから利用者の本人確認を行うことを特徴とする請求項５記載のバックアップシステム。
【請求項８】
電子メールにより携帯電話機のメモリ情報を所定の端末にバックアップするバックアップ方法において、
前記端末は、ヘッダ部にバックアップを指示する情報を格納した電子メールをバックアップ指示メールとして前記携帯電話機に送信し、前記携帯電話機は、電子メールの受信時にヘッダ部を解析し、前記バックアップ指示メールであることを検出すると、携帯電話機内のメモリ情報を符号化してメール本文中に書き込んだ電子メールをバックアップ応答メールとして前記端末に送信し、前記端末は、電子メールの受信時にヘッダ部を解析して、前記バックアップ応答メールであることを検出すると、当該バックアップ応答メールのメール本文を復号化してバックアップすることを特徴とするバックアップ方法。
【請求項９】
前記端末は、ヘッダ部にリストアを指示する情報を格納するとともに、メール本文中にリストアするメモリ情報を符号化して書き込んだ電子メールをリストア指示メールとして前記携帯電話機に送信し、前記携帯電話機は、電子メールの受信時にヘッダ部を解析し、リストア指示メールであることを検出すると、リストア指示メールのメール本文を復号化してリストアすることを特徴とする請求項８記載のバックアップ方法。
【請求項１０】
前記携帯電話機は、バックアップ又はリストアの終了後に当該バックアップ又はリストアに関する情報を予め登録された当該携帯電話機の所有者に関連する通知先に通知することを特徴とする請求項９記載のバックアップ方法。
【請求項１１】
前記バックアップ指示メール及び前記リストア指示メールのヘッダ部には、特定のヘッダ情報を所定アルゴリズムにより演算した結果を個人識別情報とする端末側の利用者の認証情報を含み、前記携帯電話機は、前記バックアップ指示メール及び前記リストア指示メールの受信時に当該メールの前記特定のヘッダ情報と所定アルゴリズムとによる演算結果とから利用者の本人確認を行うことを特徴とする請求項９記載のバックアップ方法。
【発明の詳細な説明】
【０００１】
【発明が属する技術分野】
本発明は、携帯電話機のメモリ情報のバックアップに関し、特に、電子メールを利用してバックアップ／リストアする携帯電話機のメモリ情報のバックアップシステム及び方法に関する。
【０００２】
【従来の技術】
従来のこの種のバックアップ方法としては、携帯電話機の内蔵メモリに書き込まれている電話番号、住所録等のユーザー情報について、メール送受信等の書込・消去履歴を監視し、所定の転送開始条件に一致するに至ったときにサービス局に自動的にアップロード（バックアップ）し、ユーザーからのダウンロード要求に応じて前記サービス局からバックアップデータをダウンロードする方法が提案されている（特許文献１参照）。
【０００４】
また、電子メールを用いることにより、携帯電話機から電話番号等の情報を外部端末にバックアップすること、携帯電話機からデータセンターを介してパソコンにバックアップすること等が提案されている（特許文献２、３、４参照）。このバックアップ方法では、携帯電話機から前記情報をＣＳＶ（Ｃｏｍｍａ  Ｓｅｐａｒａｔｅｄ  Ｖａｌｕｅ）形式やテキスト形式に変換して電子メールにより外部端末等に送信する。
【０００５】
【特許文献１】
特開２００１−３５２５８４号公報
【特許文献２】
特開２００２−２１８０９１号公報
【特許文献３】
特開２００１−１７７６２４号公報
【特許文献４】
特開２００２−１１１８９９号公報
【０００６】
【発明が解決しようとする課題】
携帯電話機に保存可能な情報（メモリ情報）の種類や情報量は日に日に増加してきており、メモリ情報の重要度もますます高まってきている。この為、重要なメモリ情報が失われた場合の損失が大きくなってきており、また、悪意によるデータの破壊や変更、漏洩などの危険性も増加していることから、安全性が高くかつ簡易なメモリ情報のバックアップ方法が求められている。
【０００７】
従来の携帯電話機のバックアップ方法は、携帯電話機から直接又は中間の管理センタ等を介してメモリ情報を所定の端末等にバックアップするようにしたものが殆どであり、充分な安全性を維持できるように構成したシステムといいうるものではない。
（目的）
本発明の目的は、携帯電話機のメモリ情報のバックアップ／リストアを端末側から簡易に実施することを可能とし、高いセキュリティでシステムの安全性や信頼性を維持できるバックアップシステム及び方法を提供することにある。
【０００８】
本発明の目的は、携帯電話機のメモリ情報のバックアップ／リストアを行った利用者の把握を可能とし、不正使用を監視することが可能なバックアップシステム及び方法を提供することにある。
【０００９】
【課題を解決するための手段】
本発明のバックアップシステムは、電子メールにより携帯電話機のメモリ情報を所定の端末にバックアップするバックアップシステムにおいて、前記端末は、ヘッダ部にバックアップを指示する情報を格納した電子メールをバックアップ指示メールとして前記携帯電話機に送信し、前記携帯電話機は、電子メールの受信時にヘッダ部を解析し、前記バックアップ指示メールであることを検出すると、携帯電話機内のメモリ情報を符号化してメール本文中に書き込んだ電子メールをバックアップ応答メールとして前記端末に送信し、前記端末は、電子メールの受信時にヘッダ部を解析して、前記バックアップ応答メールであることを検出すると、当該バックアップ応答メールのメール本文を復号化してバックアップすることを特徴とする。
【００１０】
本発明のバックアップシステムは、電子メールにより携帯電話機のメモリ情報を所定の端末からリストアするバックアップシステムにおいて、前記端末は、ヘッダ部にリストアを指示する情報を格納するとともに、メール本文中にリストアするメモリ情報を符号化して書き込んだ電子メールをリストア指示メールとして前記携帯電話機に送信し、前記携帯電話機は、電子メールの受信時にヘッダ部を解析し、リストア指示メールであることを検出すると、リストア指示メールのメール本文を復号化してリストアすることを特徴とする。
【００１１】
また、前記携帯電話機は、バックアップ又はリストアの終了後に当該バックアップ又はリストアに関する情報（例えば、指示メールの受信、受付、応答メールの送信等、及び送受信日時、送信、受信回数等の処理内容）を予め登録された当該携帯電話機の所有者に関連する通知先に通知することを特徴とし、前記バックアップ指示メール及びリストア指示メールのヘッダ部には、特定のヘッダ情報を所定アルゴリズムにより演算した結果を個人識別情報とする端末側の利用者の認証情報を含み、前記携帯電話機は、前記バックアップ指示メール又はリストア指示メールの受信時に当該メールの前記特定のヘッダ情報と所定アルゴリズムとによる演算結果とから利用者の本人確認を行うことを特徴とする。
【００１２】
本発明のバックアップ方法は、電子メールにより携帯電話機のメモリ情報を所定の端末にバックアップするバックアップ方法において、前記端末は、ヘッダ部にバックアップを指示する情報を格納した電子メールをバックアップ指示メールとして前記携帯電話機に送信し、前記携帯電話機は、電子メールの受信時にヘッダ部を解析し、前記バックアップ指示メールであることを検出すると、携帯電話機内のメモリ情報を符号化してメール本文中に書き込んだ電子メールをバックアップ応答メールとして前記端末に送信し、前記端末は、電子メールの受信時にヘッダ部を解析して、前記バックアップ応答メールであることを検出すると、当該バックアップ応答メールのメール本文を復号化してバックアップすることを特徴とする。
【００１３】
また、前記端末は、ヘッダ部にリストアを指示する情報を格納するとともに、メール本文中にリストアするメモリ情報を符号化して書き込んだ電子メールをリストア指示メールとして前記携帯電話機に送信し、前記携帯電話機は、電子メールの受信時にヘッダ部を解析し、リストア指示メールであることを検出すると、リストア指示メールのメール本文を復号化してリストアすることを特徴とする。前記携帯電話機は、バックアップ又はリストアの終了後に当該バックアップ又はリストアに関する情報を予め登録された当該携帯電話機の所有者に関連する通知先に通知することを特徴とし、前記バックアップ指示メール及び前記リストア指示メールのヘッダ部には、特定のヘッダ情報を所定アルゴリズムにより演算した結果を個人識別情報とする端末側の利用者の認証情報を含み、前記携帯電話機は、前記バックアップ指示メール及び前記リストア指示メールの受信時に当該メールの前記特定のヘッダ情報と所定アルゴリズムとによる演算結果とから利用者の本人確認を行うことを特徴とする。
（作用）
電子メールを利用して携帯電話機のメモリ情報をバックアップ／リストアする。バックアップは、パソコン等から携帯電話機宛にバックアップ指示メールを送信し、携帯電話機からメモリ情報を含むバックアップ応答メールを受信することにより実現する。リストアは、リストアしたいメモリ情報を付与したリストア指示メールを携帯電話機に送信することにより実現する。何れの場合にも、不正使用を監視する為に、処理受付時に予め携帯電話機内に登録してある送信先に処理内容を送信する。また、指示メールの送信者の妥当性の確認には、メールヘッダに認証情報を付与することにより実現する。更に、メールの送受信の際のメモリ情報を事前に設定した方式により符号化することによりメールの盗聴等を防止する。特別なハードウェア等を使用せずに、携帯電話機のメモリ情報のバックアップ／リストアを簡易に実施することを可能とする。
【００１４】
【発明の実施の形態】
本発明の携帯電話機のメモリ情報のバックアップシステム及び方法の実施の形態について以下説明する。
（概要の説明）
図１は、携帯電話機のメモリ情報を端末側に保存する本実施の形態のバックアップシステムの動作の概要を示す図である。本実施の形態では、端末１はパーソナルコンピュータ（ＰＣ）等とし、携帯電話機２のメモリ部のメモリ情報を電子メールを利用してバックアップするバックアップシステムの構成例を示している。
携帯電話機２は、メモリ部に住所録、電話帳等の登録したメモリ情報を保有している。端末１は、携帯電話機２の前記メモリ情報をバックアップするため、当該携帯電話機２の前記メモリ情報を送信するように指示する電子メールであるバックアップ指示メールを作成する指示メール作成機能と、携帯電話機２から送信されたメモリ情報を含むバックアップ応答メールを受信し、該バックアップ応答メールからメモリ情報を抽出してバックアップデータを作成するデータ作成機能と、前記バックアップデータを保存する記録機能と、を備える。
【００１５】
バックアップ動作の概要は、図１に示すように、端末１から携帯電話機２宛に、携帯電話機２に保存されているメモリ情報を端末１のハードディスク等の記録手段にバックアップする旨、指示するバックアップ指示メールを送信し、携帯電話機２から、当該メモリ情報を含む電子メールであるバックアップ応答メールを受信して、端末１の記録手段に保存することにより実現される。
【００１６】
図２は、端末側に保存しているメモリ情報を携帯電話機にリストアする動作の概要を示す図である。パーソナルコンピュータ等の端末１からメモリ情報を携帯電話機２のメモリ部にリストアする構成例を示している。
リストア動作の概要は、図２に示すように、端末１においてバックアップしてある情報から携帯電話機２にリストアしたいメモリ情報を格納した電子メールであるリストア指示メールを携帯電話機２に送信し、携帯電話機２において、該リストア指示メールに格納されたメモリ情報をメモリ部にリストアすることにより実現される。
【００１７】
メモリ情報のバックアップ及びリストアの何れの動作においても、当該システムへの不正侵入、データ破壊、データの変更等のシステムの不正使用の監視を可能にする為に、携帯電話機２は端末１からの処理受付時に、例えば当該携帯電話機２や前記端末１の所有者や利用者等のように、最終的にバックアップ又はリストアの処理を行った正当な利用者により確認が可能な通知先であって、予め携帯電話機２に登録した送信先に指示メールの受信、受付、応答メールの送信等、及び送受信日時、送信、受信回数等処理内容を送信する。
【００１８】
また、指示メールの送信者の本人確認、指示メールの妥当性の確認を実現するために、バックアップ及びリストア時に使用する電子メールのヘッダ部に認証情報を付与する。また、送信側で電子メールの送信の際のメモリ情報を事前に設定した方式により符号化し、受信側で復号化してリストアすることにより、メールの盗聴等を阻止する。
以上により特別なハードウェア等を使用せずに、携帯電話機のメモリ情報のバックアップ／リストアを簡易且つ安全に実施する。
【００１９】
（構成の説明）
以下、本実施の形態のバックアップシステム及び方法の詳細な構成を説明する。
図３、４は、それぞれ本実施の形態の端末及び携帯電話機の処理システムの構成を示す図である。
図３は、端末１側の構成を示す図である。端末１は、メール受付部１１と、ヘッダ作成／解析部１２と、データ作成／解析部１３と、メモリ情報を記録する記録手段１４と、メール作成部１５と、送受信部１６とから構成される。また、ヘッダ作成／解析部１２及びデータ作成／解析部１３には、認証（ａｕｔｈｅｎｔｉｃａｔｉｏｎ）を行うための情報等の登録情報を有している。以下、端末１の各部の機能を説明する。
【００２０】
メール受付部１１は、端末１のキー入力部からの指示メールの送信指示の操作を検出して、又は送受信部１６で受信した携帯電話機２からの応答メールを受信して、端末１から送信する指示メールを作成するため、ヘッダ作成／解析部１２及びデータ作成／解析部１３の動作を起動する。
【００２１】
ヘッダ作成／解析部１２は、メール受付部１１からの起動により携帯電話機２に指示メールを送信する場合、当該指示メールのヘッダ内に付与する情報（ヘッダ内情報）を作成する。また携帯電話機２からの応答メールを受信した場合、受信した応答メールのヘッダ内に付与された情報を解析し、認証及び応答内容に応じた処理を行う。ヘッダ作成／解析部１２による認証の機能は、登録情報に基づいて、携帯電話機２に送信する電子メールのヘッダ部に含める認証情報を作成し、また、携帯電話機２から受信した電子メールに含まれる認証情報とに基づいて認証を行う。つまり、セキュリティ管理として認証情報の作成／確認を行う機能を有し、登録情報と認証情報とにより、本人確認や指示／応答に関する妥当性の確認を行う機能を有し、また、指示／応答による処理機能を有する。
【００２２】
図５は、電子メールのデータ様式及び認証情報の例を示す図であり、図５（ａ）は電子メールのヘッダ部と本文データの例、図５（ｂ）は追加する指示内容と認証情報の例を示す。
通常、メールヘッダ部は、メッセージＩＤ（Ｍｅｓｓａｇｅ−Ｉｄ：）、送信元アドレス（Ｆｒｏｍ：）、送信先アドレス（Ｔｏ：）、件名（Ｓｕｂｊｅｃｔ：）、日時（Ｄａｔｅ：）等からなり、本実施の形態では、送信元アドレス（Ｆｒｏｍ：）の前に、携帯電話機１に対する指示内容であるバックアップ指示の情報（ＭＢ−Ｄｉｒｅｃｔｉｏｎ：ｂａｃｋｕｐ）と、認証情報（ＭＢ−Ａｕｔｈｅｎｔｉｃａｔｉｏｎ−Ｉｎｆｏ：ｘｘｘｘｘｘｘｘ）を記述する。
【００２３】
ここで、認証情報は、電子メールの特定のヘッダ情報と、該ヘッダ情報を所定アルゴリズムにより演算した結果である個人認識情報とを記述したものである。例えば、特定のヘッダ情報として、ヘッダ部内の所定項目の文字列を特定する情報（例えば、Ｄａｔｅ：以下に記述された文字列＜Ｆｒｉ，２５  Ｏｃｔ……＋０９００＞を特定する情報）と、前記情報（文字列）の文字コードを数値とみなし、所定アルゴリズム（例えば、前記文字列の個々の文字コード×所定数値の合計値のモジュロ（法）２ｎ演算（ｎは２以上の整数））の演算を施した数値とを個人認識情報として認証項目（Ａｕｔｈｅｎｔｉｃａｔｉｏｎ−Ｉｎｆｏ：）に記述することにより認証情報とする。
【００２４】
このような認証情報を使用する場合、端末側では指示メールの送信時に当該文字列を携帯電話機間で予め取り決めたアルゴリズムで演算し、個人認識情報（数値）としてヘッダ部に挿入する。また、携帯電話機側では、受信時に指示メールのヘッダ部の認証情報を抽出し、同一文字列等の情報を抽出し、同一アルゴリズムにより演算し、指示メールの認証情報（数値）との一致を検出することにより認証を行う。
【００２５】
データ作成／解析部１３は、予め登録された登録情報に基づくメモリ情報の符号化／復号化、つまり、電子メールの本文等に相当する送信データの符号化を行い、また受信データの復号化を行う機能を有する。登録情報には、符号化／復号化のキー情報を含む。
【００２６】
メール作成部１５は、ヘッダ作成／解析部１２で作成したヘッダ内付与情報を電子メールのヘッダ部内に書き込み、データ作成／解析部１３で作成したデータを前記電子メールの本文内のデータとして書き込み、バックアップ指示メールとして送受信部１６に送信する。送受信部１６は、指示／メール作成部１５で作成されたバックアップ指示メールを携帯電話機２に送信し、携帯電話機２から受信した応答メールをメール受付部１１に転送する。
【００２７】
図４は、携帯電話機２側の構成を示す図である。応答メール受付部２１と、ヘッダ作成／解析部２２と、データ作成／解析部２３と、メモリ情報等を記録するメモリ部２４と、メール作成部２５と、送受信部２６とから構成される。以下携帯電話機２の各部の機能を説明する。
【００２８】
メール受付部２１は、送受信部２６を介して端末１から受信したメールにより、ヘッダ作成／解析部２２及びデータ作成／解析部２３の動作を起動する。
【００２９】
ヘッダ作成／解析部２２は、指示メール等のヘッダ内情報の解析により指示内容の検出及び認証を行う機能、応答メールのヘッダ内情報の作成の機能を有する。メール受付部２１からの起動により電子メールのヘッダに書き込まれたヘッダ内情報を解析し、当該電子メールが指示メールであることを検出すると、指示メールに含まれる認証情報に基づいて認証を行い、指示／応答に関する妥当性の確認を行う。本人確認ができると、登録情報に基づいて端末１に送信する応答メールに付与するヘッダ内（応答）情報及び認証情報を作成する。ここで、応答情報はバックアップ、認証情報は端末１における図５に示すような特定のヘッダ情報と個人識別情報とを採用することができる。
【００３０】
データ作成／解析部２３は、ヘッダ作成／解析部２２での解析結果により、予め登録された登録情報に基づく受信メールの本文の復号化、メモリ情報の符号化を行う機能を有する。
【００３１】
メール作成部２５は、ヘッダ作成／解析部２２で作成したヘッダ内情報を電子メールのヘッダ内に書き込み、データ作成／解析部２３で作成したデータを電子メールの本文内のデータとして書き込み、バックアップ応答メールとして送受信部２６に転送する。送受信部２６は、端末１から受信した指示メールをメール受付部１１に転送し、メール作成部２５で作成したバックアップ応答メールを端末２に送信する。
（動作の説明）
次に、本実施の形態の全体の動作について図３〜図８を参照して詳細に説明する。
（メモリ情報のバックアップ）
まず、携帯電話機２のメモリ部２４に記録されたメモリ情報を端末１のハードディスク等にバックアップする場合について説明する。
【００３２】
図６は、端末１のバックアップの指示動作の処理フローを示す図である。使用者が端末１のキー入力部等から携帯電話機２のメモリ情報のバックアップを指示する入力操作を行うと（ｓ１１）、メール受付部１１はバックアップ指示の受付を行い、ヘッダ作成／解析部１２を起動する。ヘッダ作成／解析部１２は、登録情報を参照して、バックアップ指示と認証情報とをヘッダ内情報として作成する（ｓ１２）。なお、バックアップ指示において、メール本文を必要とする場合にはデータ作成／解析部１３をも起動する。メール作成部１５は、前記ヘッダ内情報により前記バックアップ指示メールを作成し（ｓ１３）、送受信部１５は当該メールを携帯電話機２に送信する（ｓ１４）。
【００３３】
図７は、携帯電話機２のバックアップ動作の処理フローを示す図である。携帯電話機２は、送受信部２６により電子メールを受信すると（ｓ２１）、メール受付部２１に転送し、メール受付部２１はヘッダ作成／解析部２２及びデータ作成／解析部２３を起動する。
【００３４】
ヘッダ作成／解析部２２は電子メールのヘッダを解析し、ヘッダ部の解析結果、自携帯電話機２のメモリ部２４のメモリ情報をバックアップする旨のバックアップを指示する指示ヘッダを有する指示メールであること検出すると、更にメールのヘッダ部を解析し、認証情報から指示者の妥当性をチェックし認証を行う。認証により本人確認ができると、登録情報を参照して、バックアップの応答メールであるバックアップ応答メールのヘッダ内情報（応答ヘッダ）を作成する。更にバックアップ指示を受け付けた旨のバックアップ指示受付メールのヘッダ内情報（指示受付ヘッダ）を作成し（ｓ２２）、データ作成／解析部２３に応答メールのメール本文の作成を指示する。
【００３５】
データ作成／解析部２３は、バックアップ応答メールのメール本文の作成を指示されると、メモリ部２４からメモリ情報を読み出し、事前に登録された登録情報にしたがって符号化する（ｓ２５）。
【００３６】
メール作成部２５は、ヘッダ作成／解析部２２が作成した応答メールのヘッダ部にヘッダ内情報を書き込み、データ作成／解析部２３が作成した符号化したメモリ情報をメール本文として書き込みバックアップ応答メールを作成し（ｓ２６）、送受信部２６を介して発信元である端末１へ送信する（ｓ２７）。その後、ヘッダ作成／解析部２２が作成したバックアップ指示を受け付けた旨のヘッダ内情報をヘッダに書き込んだバックアップ指示受付メールを作成し（ｓ２３）、登録情報に基づいて予め登録された通知先に送信する（ｓ２４）。
【００３７】
図８は、端末１でのバックアップ応答メールの受信に伴う動作を示す処理フロー図である。端末１では、メール受信部１１が送受信部１６を介して電子メールを受信すると（ｓ３１）、ヘッダ作成／解析部１２、データ作成／解析部１３を起動し、ヘッダ作成／解析部１２に当該電子メールの解析を依頼する。ヘッダ作成／解析部１２は電子メールのヘッダ（応答ヘッダ）を解析し、自ら要求したバックアップ指示に対するバックアップ応答メールであることを検出すると（ｓ３２）、データ作成／解析部１３がメール本文を復号し（ｓ３３）、携帯電話機２のメモリ情報を作成し（ｓ３４）、バックアップデータを取得する。取得したメモリ情報のバックアップデータは、ハードディスクなどの任意の記録手段に記録する（ｓ３５）。ここでバックアップ応答メールについてもメールのヘッダ部を解析し、認証情報から応答の妥当性をチェックする認証を行うように構成することができる。
以上の動作により、携帯電話機２のメモリ情報のバックアップが完了する。
【００３８】
（メモリ情報のリストア）
次に、端末１に保存されているメモリ情報を携帯電話機２にリストアする場合の動作について説明する。
図９は、端末１のリストアの指示動作の処理フローを示す図である。端末１のキー入力部等からリストアを指示する使用者の入力操作があると（ｓ４１）、メール受付部１１は、ヘッダ作成／解析部１２とデータ作成／解析部１３を起動する。
【００３９】
ヘッダ作成／解析部１２は携帯電話機２のメモリ情報のリストア指示のヘッダ内情報としてリストアしたいメモリ情報に関する情報、認証情報を作成する（ｓ４２）。データ作成／解析部１３は、端末１のメモリ部１４から携帯電話機２へ送信すべきメモリ情報を読み出し、当該メモリ情報を登録情報に基づき符号化してメール本文を作成する（ｓ４３）。
【００４０】
メール作成部１５は、ヘッダ作成／解析部１２が作成したヘッダ内情報とデータ作成／解析部１３が作成した符号化したメール本文とから、リストア指示メールを作成し（ｓ４４）、送受信部１６は当該リストア指示メールを携帯電話機２へ送信する（ｓ４５）。
【００４１】
図１０は、携帯電話機２のリストア動作の処理フローを示す図である。携帯電話機２は、メール受付部２１が送受信部２６を介して電子メールをを受信すると（ｓ５１）、ヘッダ作成／解析部２２、データ作成／解析部２３を起動する。ヘッダ作成／解析部２２は、電子メールのヘッダ（指示ヘッダ）を解析し、端末１からのメモリ情報をリストアする旨のリストア指示メールであることを検出すると、次に認証情報から指示者の妥当性をチェックし、本人確認等を行う。ヘッダ部の解析結果、認証情報に問題がなければ、ヘッダ作成／解析部２２は電子メールのヘッダ内情報として、リストアの完了情報（応答ヘッダ）及びリストア指示メールの受付情報（指示受付ヘッダ）を作成する（ｓ５２）。データ作成／解析部２３は、リストア指示メールのメール本文を登録情報に基づいて復号化し、復号化したデータをメモリ部２４へ展開しリストアする（ｓ５５）。
【００４２】
受信したメール本文の復号化とメモリへの展開の終了後、メール作成部２５は、リストア完了を通知する前記応答ヘッダを有するリストア完了通知メールを作成し（ｓ５６）、発信元の端末１へ送信する（ｓ５７）。またその後、リストアの受け付けを通知する指示受付ヘッダを有するリストア指示受付メールを作成し（ｓ５３）、登録された通知先に送信する（ｓ５４）。
【００４３】
図１１は、端末１でのリストア完了通知メールの受信に伴う動作を示す処理フロー図である。端末１では、送受信部１６を介してリストア完了通知メールをメール受信部１１が受信すると（ｓ６１）、ヘッダ作成／解析部１２に当該リストア完了通知メールの解析を依頼する。ヘッダ作成／解析部１２は、リストア完了通知メールのヘッダ部を解析し、リストア指示に対する応答メールであること、メモリ情報のリストアが完了したことを確認し（ｓ６３）、携帯電話機の所有者はリストア完了を確認する。
（他の実施の形態）
以上の実施の形態では、端末１からのバックアップ及びリストアの指示をキー入力部の操作により起動する例を示したが、端末１等にバックアップケジュール手段を設けることにより、設定されたタイミングで自動的に起動するように構成することが可能である。以下このように構成する実施の形態について説明する。
【００４４】
図１２は、他の実施の形態の構成を示す図である。図１２（ａ）に示すように、図３に示す実施の形態の構成において、端末のメール受付部１１にバックアップスケジュールテーブル３１と、時刻監視部３２とを新たに追加する。
【００４５】
時刻監視部３２は、時刻情報等を管理しており、バックアップスケジュールテーブル３１のタイムスケジュールを常時監視し、バックアップスケジュールテーブル３１に記載された時刻等にヘッダ作成／解析部１２にバックアップ指示を入力する。これにより、携帯電話機２に対して設定された時刻にバックアップ指示メールが自動的に送信し、図１２（ｂ）に示すように、端末１は、携帯電話機２からバックアップ指示メールに対するバックアップ応答メールを受信し、ヘッダ作成／解析部１２及びデータ作成／解析部１３によりメモリ情報のバックアップを自動的に作成する。
【００４６】
本実施の形態でも、ヘッダ部での認証情報の送受信により認証を行い、また、携帯電話機２はバックアップ指示メールを受け付けた際には、指示受付メールを送信するので、携帯電話機２の所有者等は自動的にメモリ情報のバックアップが行われたことを監視することができる。
以上の実施の形態におけるバックアップ／リストア動作に関連するバックアップ指示受付メール／リストア指示受付メールについては、所定の１回のバックアップ／リストア動作毎又は所定期間毎に、指示メールの受信、受付、応答メールの送信等、及び送受信日時、送信、受信回数等の処理結果についてそれまでの履歴として、登録された送信先に送信するように構成することにより当該システムへの不正な侵入者による処理動作等を監視することが可能である。
【００４７】
【発明の効果】
本発明によれば、電子メールの送受信機能を有する端末側から、携帯電話機との間で、指示／応答メールの送受により、携帯電話機のメモリ部へのメモリ情報のバックアップ又はリストアを任意の時点で安全且つ簡易に実施することが可能である。また、バックアップ指示メールの受信、受付、バックアップ応答メールの送信、送信日時、送信回数等のバックアップ及びリストアの指示メールに関する情報を予め登録された当該携帯電話機の所有者に関連する通知先に通知するように構成することにより、不正使用の監視を可能とし、携帯電話機のメモリ情報を高いセキュリティでバックアップ／リストアすることを可能とし、システムの安全性や信頼性を維持することが可能である。
【００４８】
また、認証情報をヘッダ部に挿入することにより、簡易な認証情報の検出を可能とするとともに、認証情報として特定のヘッダ情報を所定アルゴリズムにより演算した結果を個人識別情報とする端末側の利用者の認証情報を含むことにより、指示メールの送信毎に異なる個人識別情報を使用することになり、極めて安全且つ確実なバックアップシステムを構成することが可能である。
【００４９】
本発明によれば更に、携帯電話機の紛失又は盗難等に遭遇した場合でも、端末側から当該携帯電話機に指示メールを送信することによりメモリ情報を回収することも可能である。
【図面の簡単な説明】
【図１】携帯電話機のメモリ情報を端末側に保存する本実施の形態のバックアップシステムの動作の概要を示す図である。
【図２】端末側に保存しているメモリ情報を携帯電話機にリストアする動作の概要を示す図である。
【図３】本実施の形態の端末の処理システムの構成を示す図である。
【図４】本実施の形態の携帯電話機の処理システムの構成を示す図である。
【図５】電子メールのデータ様式及び認証情報の例を示す図である。
【図６】端末１のバックアップの指示動作の処理フローを示す図である。
【図７】携帯電話機２のバックアップ動作の処理フローを示す図である。
【図８】端末１でのバックアップ応答メールの受信に伴う動作を示す処理フロー図である。
【図９】端末１のリストアの指示動作の処理フローを示す図である。端末１のリストアの指示動作の処理フローを示す図である。
【図１０】携帯電話機２のリストア動作の処理フローを示す図である。
【図１１】端末１でのリストア完了通知メールの受信に伴う動作を示す処理フロー図である。
【図１２】他の実施の形態の構成を示す図である。
【符号の説明】
１  端末
２  携帯電話機
１１、２１  メール受付部
１２、２２  ヘッダ作成／解析部
１３、２３  データ作成／解析部
１４、２４  メモリ部
１５、２５  メール作成部
１６、２６  送受信部
３１  バックアップスケジュール部
３２  時刻監視部
【図１】
2004164037.tif 000003
【図２】
2004164037.tif 000004
【図３】
2004164037.tif 000005
【図４】
2004164037.tif 000006
【図５】
2004164037.tif 000007
【図６】
2004164037.tif 000008
【図７】
2004164037.tif 000009
【図８】
2004164037.tif 000010
【図９】
2004164037.tif 000011
【図１０】
2004164037.tif 000012
【図１１】
2004164037.tif 000013
【図１２】
2004164037.tif 000014